(57)【要約】【課題】高い視覚効果で展示できるＥＬ発光シートを提供する。【解決手段】ＥＬ発光シートは、基材と、背面電極と、絶縁層と、発光層と、透明電極を順次積層させたシート状のＥＬ発光素子を封止し、さらに透明電極の外面側に接着層が形成されたシート体である。少なくとも一部に透光性を有するシート状の展示物９の背面の所望位置に接着層によって貼付すれば、（ａ）ＥＬ発光シートの非発光時には展示物の表面の図柄１１のみが現れ、（ｂ）ＥＬ発光シートに電圧を印加すると展示物の背面からＥＬ発光シートの発光パターン１０が展示物９を透過して浮かび上がるという斬新な効果が得られる。【選択図】図２
2009129823.tif 000002
【特許請求の範囲】
【請求項１】
基材と、背面電極と、絶縁層と、発光層と、透明電極を順次積層させたシート状のＥＬ発光素子を封止してなり、さらに前記透明電極の外面側に接着層が形成され、少なくとも一部に透光性を有するシート状の展示物の背面の所望位置に前記接着層によって貼付可能とされたことを特徴とするＥＬ発光シート。
【請求項２】
前記接着層に、前記透明電極の発光パターンに沿った開口が形成されていることを特徴とする請求項１記載のＥＬ発光シート。
【請求項３】
基材と、背面電極と、絶縁層と、発光層と、透明電極を順次積層させたシート状のＥＬ発光素子を封止してなるＥＬ発光シートにおいて、前記ＥＬ発光シートに貫通孔を形成し、前記ＥＬ発光素子の前記電極を前記貫通孔から導出して前記ＥＬ発光シートの両面の対応する位置にそれぞれ設けた入力端子に導通させたことを特徴とするＥＬ発光シート。
【請求項４】
基材と、背面電極と、絶縁層と、発光層と、透明電極を順次積層させたシート状のＥＬ発光素子を封止してなるＥＬ発光シートに貫通孔を形成し、前記ＥＬ発光素子の前記電極を前記貫通孔から導出して前記ＥＬ発光シートの両面の対応する位置にそれぞれ設けた入力端子に導通させてなるＥＬ発光シートを保持して駆動するためのＥＬ発光装置において、
駆動回路と、前記駆動回路に接続された出力端子と、前記ＥＬ発光シートの前記入力端子が前記出力端子に接触するように前記出力端子の上に重ねられた前記ＥＬ発光シートを押圧して固定する解除可能な固定手段とを具備することを特徴とするＥＬ発光装置。
【請求項５】
シート体に貫通孔を形成し、前記シート体の両面の対応する位置にそれぞれ設けた入力端子を前記貫通孔を介して導通させてなる非発光シートを、前記非発光シートの前記入力端子と前記ＥＬ発光シートの前記入力端子と前記出力端子とが導通するように前記ＥＬ発光シートに重ねて前記固定手段で固定することを特徴とする請求項４記載のＥＬ発光装置。
【発明の詳細な説明】
【技術分野】
【０００１】
本発明は、シート状の展示物の裏側に貼付して発光させることで高い視覚効果を得ることができるＥＬ発光シートと、端子部分で挟み込まれて保持されるとともに給電を受けることができるＥＬ発光シートと、このＥＬ発光シートを挟み込んで保持するとともに給電することができるＥＬ発光装置に関するものである。
【背景技術】
【０００２】
エレクトロルミネッセンス発光素子（以下、ＥＬ発光素子と略称する。）は薄いシート状に構成できるので狭い場所にも設置でき、このため広告媒体その他の表示手段として有用と考えられている。ところが、シート状ＥＬ素子は薄型であり、それ自体は自立性を有していないため、これを所定状態に展示し、給電して表示を行わせるための表示装置が必要になる。
【０００３】
下記特許文献１は、自立性のないシート状ＥＬ素子を所望の位置に容易に展示し、同時に表示のための給電も容易に行えるＥＬ発光装置を開示している。このＥＬ発光装置においては、本体と上部カバーがクリップのようにヒンジで連結されて開閉可能とされ、ばねで閉止方向に付勢されている。本体の上面の出力端子は内部の電源及び駆動回路に接続されている。本体と上部カバーの隙間にシート状ＥＬ発光素子の電極の部分を挟んで閉じれば、シート状ＥＬ発光素子が保持され、出力端子と電極が接触導通する。着脱可能な固定手段により本体を所望位置に取り付け、電源スイッチをＯＮとすれば、シート状ＥＬ発光素子を所望の位置に展示して発光表示させることができるものとされている。
【特許文献１】実用新案登録第３１３１６５８号公報
【発明の開示】
【発明が解決しようとする課題】
【０００４】
しかしながら、前記特許文献１に記載のＥＬ発光装置によれば、ＥＬ素子のみを展示するものであり、薄いシート状であることを除けば、自発光型の表示素子はＥＬ以外にも多くの種類があるため自発光素子であるＥＬ素子の表示効果自体にはさほどの意外性はなく、そのため広告宣伝等に用いた場合の視覚効果は必ずしも十分とはいえなかった。
【０００５】
また、前記特許文献１に記載のＥＬ発光装置によれば、前述したシート状ＥＬ素子を挟んで保持するクリップ型であり、単一枚を保持して展示することはできるが、多数枚のシート状ＥＬ素子や非発光のシートを重ねて挟み、シート状ＥＬ素子については発光させるというカタログ状の展示態様をとることは不可能であった。
【０００６】
そこで本発明は、上述した課題を解決するものであり、それ自体には自立性のないシート状ＥＬ素子を単なる自発光だけではない高い視覚効果で展示でき、さらに多数枚のシート状ＥＬ素子や非発光のシートを重ねて挟み、シート状ＥＬ素子については発光させるという例えばカタログのような特殊な展示態様をとることができるＥＬ発光シート及びＥＬ発光装置を提供することを目的としている。
【課題を解決するための手段】
【０００７】
請求項１に記載されたＥＬ発光シートは、
基材と、背面電極と、絶縁層と、発光層と、透明電極を順次積層させたシート状のＥＬ発光素子を封止してなり、さらに前記透明電極の外面側に接着層が形成され、少なくとも一部に透光性を有するシート状の展示物の背面の所望位置に前記接着層によって貼付可能とされたことを特徴としている。
【０００８】
請求項２に記載されたＥＬ発光シートは、請求項１記載のＥＬ発光シートにおいて、
前記接着層に、前記透明電極の発光パターンに沿った開口が形成されていることを特徴としている。
【０００９】
請求項３に記載されたＥＬ発光シートは、
基材と、背面電極と、絶縁層と、発光層と、透明電極を順次積層させたシート状のＥＬ発光素子を封止してなるＥＬ発光シートにおいて、前記ＥＬ発光シートに貫通孔を形成し、前記ＥＬ発光素子の前記電極を前記貫通孔から導出して前記ＥＬ発光シートの両面の対応する位置にそれぞれ設けた入力端子に導通させたことを特徴としている。
【００１０】
請求項４に記載されたＥＬ発光装置は、
基材と、背面電極と、絶縁層と、発光層と、透明電極を順次積層させたシート状のＥＬ発光素子を封止してなるＥＬ発光シートに貫通孔を形成し、前記ＥＬ発光素子の前記電極を前記貫通孔から導出して前記ＥＬ発光シートの両面の対応する位置にそれぞれ設けた入力端子に導通させてなるＥＬ発光シートを保持して駆動するためのＥＬ発光装置において、
駆動回路と、前記駆動回路に接続された出力端子と、前記ＥＬ発光シートの前記入力端子が前記出力端子に接触するように前記出力端子の上に重ねられた前記ＥＬ発光シートを押圧して固定する解除可能な固定手段とを具備することを特徴としている。
【００１１】
請求項５に記載されたＥＬ発光装置は、請求項４記載のＥＬ発光装置において、
シート体に貫通孔を形成し、前記シート体の両面の対応する位置にそれぞれ設けた入力端子を前記貫通孔を介して導通させてなる非発光シートを、前記非発光シートの前記入力端子と前記ＥＬ発光シートの前記入力端子と前記出力端子とが導通するように前記ＥＬ発光シートに重ねて前記固定手段で固定することを特徴としている。
【発明の効果】
【００１２】
請求項１に記載されたＥＬ発光シートによれば、表示光が放出される透明電極の外側にある接着層を、シート状の展示物の背面の所望位置に接着すれば、ＥＬ発光シートを展示物の背面の所望位置に貼付することができる。展示物を表から観察すると、ＥＬ発光シートの非点灯時にはＥＬ発光シートの発光パターンは見えず、展示物の表にある図柄のみが見えるが、ＥＬ発光シートが点灯するとＥＬ発光シートの発光パターンが展示物の背面から浮かび上がり、展示物を通して表側から見ることができる。この表示パターンが展示物の表にある図柄と重なり又は並んで観察されるので高い視覚効果が得られる。
【００１３】
請求項２に記載されたＥＬ発光シートによれば、請求項１記載のＥＬ発光シートにおける効果において、透明電極の発光パターンに沿った開口を接着層に形成したので、接着層によって発光層の輝度が低下するのを防止できる。
【００１４】
請求項３に記載されたＥＬ発光シートによれば、ＥＬ発光シートの両面の互いに対応する位置に入力端子を設けたので、入力端子が接するように複数枚のＥＬ発光シートを重ねれば、すべてのＥＬ発光シートの電極が導通することとなり、単一のＥＬ発光装置で駆動信号を与えて駆動することができる。
【００１５】
請求項４に記載されたＥＬ発光装置によれば、請求項３に記載したようなＥＬ発光シートを複数枚用意し、これらの入力端子が互いに上下で接するように重ねるとともに、一番したのＥＬ発光シートの入力端子がＥＬ発光装置の出力端子に接触するように配置して複数枚のＥＬ発光シートを固定手段で固定すれば、互いに導通した複数枚のＥＬ発光シートを駆動回路で発光駆動することができ、カタログ乃至ノート状の形態にて発光展示を行なうことができる。固定手段を解除してＥＬ発光シートを入れ換えることも容易である。
【００１６】
請求項５に記載されたＥＬ発光装置によれば、請求項４記載のＥＬ発光装置における効果において、発光表示されるＥＬ発光シートとともに、非発光シートを重ねて一体に構成することもできる。
【発明を実施するための最良の形態】
【００１７】
以下、本発明を実施するために特許出願人が出願時点で最良と思う本発明の実施の形態を図１〜図９を参照して説明する。
図１〜図４は第１実施形態の図であり、図１は第１実施形態のＥＬ発光シートの分解拡散斜視図、図２は第１実施形態のＥＬ発光シートの使用方法を示す図、図３は第１実施形態のＥＬ発光シートの使用状態を示す図、図４は第１実施形態のＥＬ発光シートにおける接着層の変形例を示す斜視図である。
図５〜図９は第２実施形態の図であり、図５は第２実施形態のＥＬ発光装置の斜視図、図６は第２実施形態のＥＬ発光装置の使用方法を示す斜視図、図７は第２実施形態のＥＬ発光装置において使用するＥＬ発光シート及び非発光シートを示す図、図８は第２実施形態のＥＬ発光装置の断面図、図９は図８のＡ部分拡大図である。
【００１８】
１．第１実施形態（第１例、図１〜図４）
第１実施形態のＥＬ発光シートの構成を説明する。
図１に示すように、本例のＥＬ発光シート１は、絶縁材料からなるシート状の基材２と、基材２の上に形成された背面電極３と、背面電極３の上に設けられた絶縁層４と、絶縁層４の上に設けられた所望の発光パターンに形成された発光層５と、発光層５の上に設けられた透明電極６とによって構成される積層構造のシート状のＥＬ発光素子を有している。なお、基材２自体が絶縁となっているため、背面電極３の下にはレジスト層を設ける必要はない。そして、このシート状のＥＬ発光素子を透光性を有する図示しないシート状の封止部材によって気密状態に封止し、さらに透明電極６の外面側の封止部材の表面に接着層７を形成し、未使用時には該接着層７を保護手段としての剥離紙８で覆ったものである。
【００１９】
このＥＬ発光シート１を使用する場合には、図２（ａ）に示すように接着層７から剥離紙８を剥がし、図２（ｂ）に示すように、少なくとも一部に透光性を有するシート状の展示物９（例えばポスター等）の背面の所望位置に、前記接着層７によって貼付する。ＥＬ発光シート１の各電極には、図示しない駆動装置が接続されており、この駆動装置によって発光層を発光駆動すれば、発光層の発光パターン１０と、展示物９の表示内容とが一体となって表示・展示が行われる。
【００２０】
本例のＥＬ発光シート１の接着対象であるシート状の展示物９は、光の隠蔽性と透過性を兼ね備えた材料とする。好適には紙のような素材が挙げられるが、これに限定するものではない。展示物９がこのような性質を有していれば、図３（ａ）に示すように、ＥＬ発光シート１の非発光時には展示物９の表面の図柄１１（無地であれば展示物９の表面の地色）のみが現れ、ＥＬ発光シート１の発光パターン１０は隠蔽されており、駆動装置によってＥＬ発光シート１に電圧を印加すると、図３（ｂ）に示すように、展示物９の背面からＥＬ発光シート１の発光パターン１０が展示物９を透過して浮かび上がるという斬新な効果を得ることができる。
【００２１】
例えば、接着対象である展示物９として、前述したようにポスター等を選択し、これの裏側にＥＬ発光シート１を貼付した場合、従来の印刷物の背面から発光パターン１０が浮かび上がるという視覚的効果の高い掲示物を容易に得ることができる。
【００２２】
なお、図４に示すように、接着層７は、発光層５の透明電極６に対応する発光パターン１０の部分に対応する部分を、発光パターン１０と同形状で抜いておけば、ＥＬ発光シート１の発光層５からの光が接着層７を透過することによって生じる輝度の低下を抑制できる。
【００２３】
さらに、接着層７における厚さを調節することにより、発光層５と接着対象である展示物９のギャップを調整して更なる効果を得ることができる。具体的にはＥＬ発光シート１と展示物９を密着させることで高輝度かつ鮮明に発光パターン１０を浮かび上がらせることができ、隙間を開けることで輝度は下がるが拡散した発光効果を得ることができる。その際、発光層５と展示物９のギャップ調整は、接着層７自体の厚みを調節することのみに限らず、両者の間に適当な厚さの何らかのシート状の素材を介することによって行ってもよい。
【００２４】
以上説明したように、本例のＥＬ発光シート１によれば、次のような効果を得ることができる。
任意のタイミングでＥＬ発光シート１の発光パターン１０がポスター等の展示物９の背面から浮かび上がることで、高い視覚的効果を得ることができる。その際、展示物９の表面に図柄１１のある印刷物を使用することで、印刷情報と光による視覚的効果の相乗効果を得ることができる。
【００２５】
また展示物９に紙を用いれば、所望の図柄１１を所望の色彩で容易に印刷することができるので、このような印刷形成の自由度が高い図柄１１と、例えば隠しメッセージやセキュリティ用の表示のように通常は表示しないが所定の条件下では自発光により明確に表示させたいような種類の表示（発光パターン１１）を、必要時にのみ重ねて表示することで高い表示効果を挙げることができ、通常の印刷物に対して高付加価値を与えることができる。
【００２６】
また、接着対象である展示物９としては、ある程度光の透過性があれば、素材を限定することなく例えば紙、フィルム等幅広い素材を用いることができる。
【００２７】
さらに接着対象である展示物９にある程度の隠蔽性があれば、非発光時に発光パターン１０を隠すことができるので、より斬新な効果が得られる。
【００２８】
このように、ＥＬ発光シート１をアセンブリとして展示物９に貼り付けることで、展示物９中の発光位置をユーザが自由に指定できる。また、シート状の展示物９に直接ＥＬ発光素子を作り込む方法も考えられるが、このような方法に比べ、本例によればＥＬ作製工程における煩雑さ、有機溶剤等の危険性、歩留りの悪さ等から開放されるという効果もある。
【００２９】
２．第２実施形態（第２例、図５〜図９）
第２実施形態のＥＬ発光シート１ａと、これを保持して発光させるＥＬ発光装置２０の構成を説明する。
本例は、複数枚のＥＬ発光シート１ａをバインダー状のＥＬ発光装置２０にファイリングして給電・発光させるものであり、さらに複数枚のＥＬ発光シート１ａ中に発光部を有さない非発光シート２１を入れておくこともでき、その場合には、ＥＬ発光シート１ａと非発光シート２１が共通の電極構造としてスルーホール状の構造で導通する入力端子を表裏に有していることにより、重ねた全てのシートに給電することができることを特徴とするものである。
【００３０】
図５に示すように、本例のＥＬ発光装置２０は、表紙２３と裏表紙２４が開閉自在に一体化したファイル２５と、該ファイル２５の内部において裏表紙２４の背側中央に取り付けられた固定手段２６を有している。図６に示すように、固定手段２６は、ファイル２５に固定された基板２７と、基板２７に設けられた回動操作自在のレバー２８と、レバー２８に連動して基板２７上で斜め方向に上下動する押さえ板２９と、レバー２８と押さえ板２９の間に介装されたばね３０とを有しており、レバー２８を操作して押さえ板２９を持ち上げ、間にシート類を挟んでレバー２８を逆方向に操作すれば、押さえ板２９が下がってばね３０の弾性で基板２７との間にシート類を固定することができる。
【００３１】
図６に示すように、固定手段２６の基板２７には、ＥＬ発光シート１ａに給電するための出力端子３１が設けられており、この出力端子３１は図示しない駆動回路に接続されている。ＥＬ発光シート１ａの入力端子４０がＥＬ発光装置２０の出力端子３１に接触するように、ＥＬ発光シート１ａをＥＬ発光装置２０の出力端子３１の上に重ねて固定手段２６で固定すれば、ＥＬ発光装置２０にファイルされた複数枚のＥＬ発光シート１ａに給電して発光表示させることができる。
【００３２】
図７（ａ）の左右に示す本例で使用されるＥＬ発光シート１ａは、第１例と同様、基材としてのシートと、背面電極と、絶縁層と、発光層と、透明電極を順次積層させたシート状のＥＬ発光素子を有し、その少なくとも電極積層部分を封止して構成したものであり、発光層は所定パターンの発光部３５を構成している。ＥＬ発光シート１ａは、例えば櫛歯電極を使用した発光部３５と給電用の入力端子４０を有している。この入力端子４０は、ＥＬ発光シート１ａをＥＬ発光装置２０にファイルした場合の背側に相当する所定の位置の表裏両面に設けられている。ＥＬ発光シート１ａをファイルした場合の断面図である図８又は図８のＡ部の拡大図である図９に示すように、ＥＬ発光シート１ａには貫通孔（スルーホール）４１が形成されており、図示しないＥＬ発光素子の電極は貫通孔４１から導出されてＥＬ発光シート１ａの両面の対応する位置（貫通孔４１の真上）にそれぞれ設けられた入力端子４０に導通されている。
【００３３】
また、図７（ａ）の中央に示す非発光シート２１は、ＥＬ発光シート１ａと同形であるがＥＬとしての電極構造を持たない通常のシート乃至通常の印刷物であり、所望の図柄１１が印刷されている。しかしながら、この非発光シート２１には、ＥＬ発光シート１ａの入力端子４０と同様の構造・配置で電極４２が形成されている。すなわち、非発光シート２１の電極４２は、ＥＬ発光シート１ａの入力端子４０と同様の位置に表裏に貫通・導通して形成されているが、他の電子素子の電極類に接続されているものではない。
【００３４】
本例のＥＬ発光装置２０によれば、前述したようなＥＬ発光シート１ａと共に非発光シート２１も重ねてファイルすることができる。図７（ｂ）に示すように、ＥＬ発光シート１ａと非発光シート２１を正規に重ねれば、ＥＬ発光シート１ａの入力端子４０と非発光シート２１の電極４２が上下で導通するので、これを本例のＥＬ発光装置２０で固定すれば、出力端子３１に導通させることができる。
【００３５】
図７（ｂ）に示すように、発光部３５を有するＥＬ発光シート１ａを２枚、発光部３５を有さない非発光シート２１を１枚、互いに重ねてファイリングする場合について説明する。ＥＬ発光シート１ａの入力端子４０と、非発光シート２１の電極４２は、いずれもスルーホール構造でシートの両面に導通する電極構造でるため、非発光シート２１を含む複数枚のＥＬ発光シート１ａをＥＬ発光装置２０に挟みこんだ状態でも、ＥＬ発光装置２０の固定手段２６にある出力端子３１からの電圧を全てのＥＬ発光シート１ａに同時に供給することができる。
【００３６】
以上説明したように、本例のＥＬ発光装置２０によれば、次のような効果を得ることができる。
ＥＬ発光シート１ａを挟むだけで簡単に発光させることができ、本、ノート乃至カタログ状にまとめた多数枚のＥＬ発光シート１ａに、１つのＥＬ発光装置２０の駆動装置で給電してそれぞれ任意のパターンで発光させることができ、視覚効果が高い。特に、ＥＬ発光シート１ａと非発光シート２１を共存させることで、多くの情報と高い視覚的効果を得ることができる。
【００３７】
またＥＬ発光シート１ａを繰返し交換、差替えすることができるので使用者の要望及びその変更に容易に対応することができ、またその交換作業は誰でも容易に行える。
【００３８】
ＥＬ発光シート１ａは、通常のＥＬとしてのシート構造において電極部に貫通孔を設けて両面に導電性材料を印刷するだけのものであって非常に簡便であり、導電材料として安価なカーボン等をそのまま使うことができる。またＥＬ発光シート１ａをＥＬ発光装置２０に取り付けるために、リード線、コネクタ等の配線、はんだ付け作業等は不要である。一方、ＥＬ発光装置２０は、構造が簡便であり、生産は容易である。
【図面の簡単な説明】
【００３９】
【図１】図１は第１実施形態のＥＬ発光シートの分解拡散斜視図である。
【図２】図２は第１実施形態のＥＬ発光シートの使用方法を示す図である。
【図３】図３は第１実施形態のＥＬ発光シートの使用状態を示す図である。
【図４】図４は第１実施形態のＥＬ発光シートにおける接着層の変形例を示す斜視図である。
【図５】図５は第２実施形態のＥＬ発光装置の斜視図である。
【図６】図６は第２実施形態のＥＬ発光装置の使用方法を示す斜視図である。
【図７】図７は第２実施形態のＥＬ発光装置において使用するＥＬ発光シート及び非発光シートを示す図である。
【図８】図８は第２実施形態のＥＬ発光装置の断面図である。
【図９】図９は図８のＡ部分拡大図である。
【符号の説明】
【００４０】
１，１ａ…ＥＬ発光シート
７…接着層
９…展示物
１０…ＥＬ発光シートの発光パターン
１１…展示物の図柄
２０…ＥＬ発光装置
２６…固定手段
３１…ＥＬ発光装置の出力端子
３５…ＥＬ発光シートの発光部
４０…ＥＬ発光シートの入力端子
４２…非発光シートの電極
【図１】
2009129823.tif 000003
【図２】
2009129823.tif 000004
【図３】
2009129823.tif 000005
【図４】
2009129823.tif 000006
【図５】
2009129823.tif 000007
【図６】
2009129823.tif 000008
【図７】
2009129823.tif 000009
【図８】
2009129823.tif 000010
【図９】
2009129823.tif 000011